(57)【要約】少なくとも１つのディーゼル微粒子フィルタを再生する方法であって、排ガスが供給導管を介して前記少なくとも１つのディーゼル微粒子フィルタ内にもたらされ、排出導管を介して該ディーゼル微粒子フィルタから導出させられ、前記少なくとも１つのディーゼル微粒子フィルタを流過する排ガスの加熱が行なわれ、前記少なくとも１つのディーゼル微粒子フィルタから流出する排ガスを改めて当該ディーゼル微粒子フィルタ内にもたらす閉じられた循環空気回路が形成されることを特徴とする方法。
2005511944.tif 000002
【特許請求の範囲】
【請求項１】
排ガスが供給導管（２３，２３ａ，２３ｂ）を介し少なくとも１つのディーゼル微粒子フィルタ（２１；２２）に供給され、排出導管（２６，２６ａ，２６ｂ）を介して該少なくとも１つのディーゼル微粒子フィルタから排出させられ、その際、当該少なくとも１つのディーゼル微粒子フィルタ（２１；２２）を流過する排ガスが加熱される形式のディーゼル微粒子フィルタを再生する方法において、前記少なくとも１つのディーゼル微粒子フィルタ（２１；２２）から流出する排ガスを改めて該ディーゼル微粒子フィルタに送り込むことができる閉鎖可能な循環空気回路を形成することを特徴とする、ディーゼル微粒子フィルタを再生する方法。
【請求項２】
前記循環空気回路に周辺空気が添加される、請求項１記載の方法。
【請求項３】
前記循環空気回路内で循環する循環空気を調整もしくは制御して該循環空気回路から吹き出すことができる、請求項１又は２記載の方法。
【請求項４】
供給された新鮮空気の量が、吹き出された循環空気の量に相当している、請求項３記載の方法。
【請求項５】
少なくとも１つのディーゼル微粒子フィルタ（２１；２２）の再生の枠内で、発生した煤の燃焼を、前記少なくとも１つのディーゼル微粒子フィルタの入口側及び出口側の差酸素の測定を介して実施する、請求項１から４までのいずれか１項記載の方法。
【請求項６】
並列に接続された少なくとも２つのディーゼル微粒子フィルタ（２１；２２）を有しており、両方のディーゼル微粒子フィルタを負荷する排ガス流を選択的に切換え、ほぼ完全な排ガス流が第１のディーゼル微粒子フィルタ（２１）を介して導かれ、第２のディーゼル微粒子フィルタ（２２）に関しては閉じた循環空気回路が準備される、請求項１から５までのいずれか１項記載の方法。
【請求項７】
排ガス流の切換えを排ガス流の前記供給導管もしくは排出導管内に取付けられたフラップ（２４，２７）で実施する、請求項６記載の方法。
【請求項８】
排ガスを供給するための供給導管と排ガスを排出するための排出導管（２６ａ，２６；２６，２６ｂ，２６）とに接続された少なくとも１つのディーゼル微粒子フィルタ（２１；２２）を再生する装置であって、前記少なくとも１つのディーゼル微粒子フィルタを流過する排ガスを加熱する手段（２１ａ；２１ｂ）が設けられている形式のものにおいて、前記少なくとも１つのディーゼル微粒子フィルタ（２１；２２）から流出する排ガスを改めて該ディーゼル微粒子フィルタ（２１；２２）にもたらすことのできる、閉鎖可能な循環空気回路を形成する手段（２４，２３ａ，２６ａ，２７，３０，２８，３２，２５，３１；２４，２３ｂ，２６ｂ，２７，３０，２８，３２，２５，３１）を有していることを特徴とする、ディーゼル微粒子フィルタを再生するための装置。
【請求項９】
前記循環空気回路に周辺空気を添加する手段（２８，２９）を有している、請求項８記載の装置。
【請求項１０】
循環空気回路から、調整もしくは制御された排ガスの吹き出しを可能にする手段（４０，４１）を有している、請求項８又は９記載の装置。
【請求項１１】
前記少なくとも１つのディーゼル微粒子フィルタの入口側及び出口側において差酸素を測定する手段（４０，４１）を有している、請求項８から１０までのいずれか１項記載の装置。
【請求項１２】
ほぼ完全な排ガス流が第１のディーゼル微粒子フィルタを介して導かれかつ第２のディーゼル微粒子フィルタに関して閉じられた循環空気回路が準備されるように２つの並列に接続された２つのディーゼル微粒子フィルタが排ガス流で負荷可能であり、排ガス流を適当に切換えるために前記供給導管もしくは前記排出導管内に配置可能なフラップ（２４，２７）が設けられている、請求項８から１１までのいずれか１項記載の装置。
【発明の詳細な説明】
【０００１】
本発明は、請求項１の上位概念もしくは請求項８の上位概念に記載したディーゼル微粒子フィルタを再生するための方法と装置とに関する。
【０００２】
Ｅｕｒｏ−ＩＶ−排ガス基準（０．０５ｇ／ｋｍ）の微粒子限界値は、重車両によっては、ディーゼル微粒子フィルタ（ＤＰＦ）でしか守ることはできない。ＤＰＦシステムは典型的な形式で、放出された微粒子の９０〜９５％を分離する。これによりフィルタに堆積した微粒子は排ガス対抗圧を高めるので、ディーゼル微粒子フィルタは２００〜５００ｋｍの間のインターバルで再生されなければならない。再生は堆積した微粒子の燃焼（酸化）によって行なわれる。このためには微粒子は典型的な形式で約６００℃に加熱されなければならない。微粒子の加熱は有利には排ガス流を用いた対流式の熱付与を介して行なわれる。しかし使用好適化されたディーゼル機関（ＴＤＩ，ＣＤＩ）の排ガス流の温度は数少ない運転点でしか３００℃を越えることはない。したがって排ガスは再生の間、追加加熱されなければならない。これは電気的に行なうかバーナで行なうことができる。排ガスの残酸素含有度は３％と１８％との間で変動するので、付加的な新鮮空気ファンなしで直接的な排ガス流にてディーゼルバーナを使用することには問題がある。何故ならば燃料を燃焼させるために十分な酸素があらゆる時点で与えられることはないからである。
【０００３】
さらに微粒子の発火温度を有機金属的な鉄又はセリウム化合物でほぼ３５０℃に下げることは公知である。しかしこの場合には、前記の如き添加物が有機的な灰を微粒子フィルタに残し、これらの灰がディーゼル微粒子フィルタによって生ぜしめられた対抗圧を連続的に上昇させ、この結果、フィルタの早期交換が必要になることに注意を払う必要がある。
【０００４】
さらに、電気的に加熱可能なディーゼル微粒子フィルタを部分流又は全流再生システムに使用することも公知である。全流再生システムにおいては再生に際し全ガス流がディーゼル微粒子フィルタを通して導かれかつ電気的に加熱される。このような全流再生システムは切換え可能なフラップを使用せずに、比較的に安価でかつコンパクトに製作可能である。しかし、このような解決策の欠点は完全な排ガス質量流がディーゼル煤の発火温度の上の温度に加熱されなければならないことである。例えば行程容積２．５リットル、機関回転数２０００Ｕ／ｍｉｎ、過給圧１．４ｂａｒを仮定すると、これは２５０ｇ／ｈの排ガス流を発生させる。典型的な形式で得られる前記質量流を４００Ｋ加熱するためには最低加熱出力は損失を無視しても３３ｋＷである。１２ボルトの電網では最大２〜２．５ｋＷの電気的な加熱出力しか実現可能でないので、通常は部分流解決手段が有利である。従来の部分流再生システムは図１に示されている。図面には互いに並列に接続された２つのディーゼル微粒子フィルタ１，２が示されている。このディーゼル微粒子フィルタの排ガス導管３内にはフラップ４が配置されており、このフラップ４を用いて供給導管３内の排ガスは選択的に供給導管３ａを介してディーゼル微粒子フィルタ１にもしくは供給導管３ｂを介してディーゼル微粒子フィルタ２へ導入可能である。ディーゼル微粒子フィルタ１，２はそれぞれ電気的な加熱装置１ａ，２ａを備えて構成されている。新鮮空気はファン５を介して供給導管３ａ，３ｂにもたらされることができる。ディーゼル微粒子フィルタ１，２から流出する排ガスは導管６に開口する排出導管６ａもしくは６ｂを介して排出される。
【０００５】
このような配置では、ディーゼル微粒子フィルタは有利には個別に再生される。例えばディーゼル微粒子フィルタ１を再生する間、フラップ機構４を介して排ガス流の大きな部分（もしくは９０％）はディーゼル微粒子フィルタ２を介して導かれる。残った残留排ガス流は電気的に、又はフォシールにも加熱されかつディーゼル微粒子フィルタ１並びに該ディーゼル微粒子フィルタに堆積したディーゼル煤を加熱する。排ガス流の残留酸素含有量が小さすぎると、ファン５によって新鮮空気が供給されることができる。しかし、ファンの最大の圧力形成、例えば１５０ｈＰａまでの圧力形成は、ファンの使用を排ガス行程における比較的に小さな過圧に制限する。部分流の大きさはディーゼル微粒子フィルタ１が、短時間で、実現可能な最大の電気的な加熱力で、ディーゼル煤の発火温度を越える温度にもたらされるように調節もしくは設定される。
【０００６】
ディーゼル微粒子フィルタ１の再生の終了後、ディーゼル微粒子フィルタ２は再生されることができる。同様に個々のディーゼル粒子フィルタの再生の間に、両ディーゼルフィルタが通常運転に相応して均等に排ガスで負荷される時期を設けることも可能である。
【０００７】
本発明の目的はディーゼル微粒子フィルタの再生をできるだけ簡単でかつ費用のかからない形式で実施することである。
【０００８】
この目的は請求項１の特徴を有する方法並びに請求項８の特徴を有する装置によって達成された。
【０００９】
再生を少なくとも部分的に閉じた循環空気回路で実施するという本発明による処置は、排ガス流の大きさ、残留酸素含有量及び圧力レベルとはほぼ無関係な再生を可能にする。排ガスが複数回ディーゼル微粒子フィルタを通過させられることにより、加熱時間が著しく短縮され、エネルギーが節減される。
【００１０】
本発明の方法もしくは本発明の装置の有利な構成は従属請求項の対象である。
【００１１】
有利には循環空気回路に周辺空気を添加することが提案されている。循環空気回路にて本発明によって実現可能な小さな質量流並びにこのように制限された新鮮空気の調量により電気的な加熱出力がわずかであるにも拘わらずディーゼル微粒子フィルタにおいて高い温度をきわめて迅速に実現することができる。これにより、ディーゼル微粒子フィルタをディーゼル燃料を添加しなくても、有効に再生でき、有機的な添加残滓によるディーゼル微粒子フィルタにおける灰の形成も回避される。循環空気流へのコントロールされた新鮮空気もしくは酸素の添加はファン回転数により調整可能な循環空気流の大きさ並びに電気的な加熱出力の他に、煤を燃焼させる間のディーゼル微粒子フィルタの温度を調整するための別のパラメータを成す。このパラメータの適当な調整によりディーゼル微粒子フィルタにおける場所的及び時間的な温度ピークが回避され、微粒子フィルタの寿命期待度が延長される。
【００１２】
ほぼ閉じた回路内への新鮮空気の導入に並行して循環空気が回路から吹き出されるようにすることも有利である。
【００１３】
本発明の方法の有利な構成によれば、少なくとも１つのディーゼルフィルタの再生の枠内で生ぜしめられた煤の燃えかすがディーゼル微粒子フィルタの入口側もしくは出口側における差酸素の測定を介して検出される。この測定法は実地においてはきわめて合目的的であることが証明された。本発明の装置の枠内ではこのために適した手段としては例えばディーゼル微粒子フィルタの前後に位置決め可能な酸素センサが設けられている。
【００１４】
さらに供給された新鮮空気の量は、吹き出された循環空気の量に相応していると有利であることが証明された。
【００１５】
本発明の方法もしくは本発明の装置の特に有利な実施例によれば２つの並列に接続された２つのディーゼル微粒子フィルタを負荷する排ガス流は、第１のディーゼル微粒子フィルタがほぼ完全な排ガス流で負荷されかつ同時に第２のディーゼル微粒子フィルタに関して閉じられた循環空気回路が生ぜしめられるように導かれる。この場合、ほぼ完全な排ガス流とは総排ガス流の８０％と１００％との間の量であることができる。
【００１６】
次に添付図面を用いて本発明をさらに詳しく説明する。
【００１７】
図２からは、図示された本発明の有利な１実施例の装置が、既に記述した公知技術の配置同様、２つのディーゼル微粒子フィルタ２１，２２とそれらに配属された電気的な加熱装置２１ａ，２２ａとを有していることが判る。ディーゼル微粒子フィルタ２１，２２には排ガス供給導管２３を介して排ガスが供給可能である。排ガス供給導管２３はフラップ２４を介し、ディーゼル微粒子フィルタ２１に接続された第１の排ガス供給導管２３ａとディーゼル微粒子フィルタ２２に接続された第２の排ガス供給導管２３ｂと接続可能である。フラップ２４の適当な位置によって、排ガス供給導管２３を通って流れる排ガスを任意の形式でディーゼル微粒子フィルタ２１もしくは２２へ分配することができる。
【００１８】
さらに各ディーゼル微粒子フィルタから導出する排出導管２６ａもしくは２６ｂはフラップ２７を負荷する。フラップ２７の第１の位置では、排出導管２６ａ，２６ｂが共通の排出導管２６に開口する。フラップ２７の第２の位置では、導管２６ａ又は２６ｂを流過するガス（排ガス）が導管３０を介し、フラップ２８と導管３２とファン２５とフラップ２４とを介し各ディーゼル微粒子フィルタ２１，２２へ戻されるようにフラップ２７が調節可能である。
【００１９】
フラップ２８を介しては供給導管２９を用いて新鮮空気が排ガス流に導入可能である。
【００２０】
フラップ２４，２７，２８を適当に調節することによって簡単な形式で、ガス流を本発明の方法を実現するために導くことができる。これについては以後、図３と図４とを用いて説明する。
【００２１】
図３においては例えば下方のディーゼル微粒子フィルタ２２の再生の第１期が示されている。フラップ２４と２７は、供給導管２３を介して流入する排ガス全体が上方のディーゼル微粒子フィルタ２１に導かれ、そこから排出導管２６へ導かれるように調節されている。この流れは破線矢印で示されている。フラップ２４，２７のこの調節とフラップ２８の閉じられた位置とで、下方のディーゼル微粒子フィルタ２２に関して、閉じた導管系が得られる。したがってファン２５を接続することでディーゼル微粒子フィルタ２２を空気循環モードで排ガスで負荷することができる。この場合、ファン２５は比較的に小さい質量流だけ、つまりフラップ２４，２７の前述の調節の時点でディーゼル微粒子フィルタ２２と閉じられた導管系（導管２３ｂ，２６ｂ，３０，３２，３１）の内部に存在していた質量流だけを搬送すればよい。再生系の典型的な設計に際してはこの場合には搬送しようとする最大質量流が約２０ｋｇ／ｈであることから出発し、煤の詰まったディーゼル微粒子フィルタ２２を介する圧力降下は比較的に小さく、典型的な場合には最大５０ｈＰａであることから出発する必要がある。
【００２２】
ディーゼル微粒子フィルタ２２の電気的な加熱装置２２ａを接続することによって、ディーゼル微粒子フィルタ２２を循環空気モードで流過する排ガスを効果的に加熱することができる。
【００２３】
有利には電気的な加熱コイルとして構成された電気的な加熱装置２２ａはディーゼル微粒子フィルタ２２を放射熱を介しかつ対流式に循環空気流を介し加熱する。当初、当該システムから空気が流出しないので加熱は、既に述べたようにきわめて迅速に行なわれる。
【００２４】
循環空気モードを実現する流路は図３では実線矢印で示されている。
【００２５】
ファンに許容できる最高温度、例えば３００℃に達すると、フラップ２８が開かれ、循環空気回路にコントロールされた新鮮空気が添加される。同時にフラップ２７が適当に開かれることにより、閉じた回路から排ガス通路（排出導管６）へ循環空気が吹き出される。この場合、有利には吸い込まれた新鮮空気と吹き出された循環空気との間には平衡状態が形成される。この場合、フラップ２８の位置は、ファン２５のための最大許容温度がどの時点でも下回ることがないように制御される。この状態は図４に示されている。この場合、新鮮空気流と吹き出し流は破線矢印で示されている。
【００２６】
ディーゼル微粒子フィルタ２２はこの運転モードでは堆積した煤の発火温度に達するまで加熱される。ディーゼル煤の燃焼はディーゼル微粒子フィルタの内部の酸化に基づく酸素消費量の測定によって実施されることができる。このためにはディーゼル微粒子フィルタの入口側と出口側にラムダゾンデ４０，４１を設けることが有利であることが証明された。同様に適当な入口側及び出口側の圧力測定でディーゼル微粒子フィルタの圧力降下を測定することもできる。ディーゼル煤の燃焼の確認は出口側の温度測定で可能である。燃焼を特徴づける急な温度上昇を確認可能である相応の温度測定装置は図３に概略的に符号４２で示されている。
【００２７】
ディーゼル微粒子フィルタ２２の温度は電気的な加熱装置２２ａの加熱出力又はファン２５の搬送容量の制御によってコントロールされる。さらにコントロールされた新鮮空気の調量によって（フラップ２８の制御による）、循環空気の酸素含有量、ひいては煤燃焼速度を制御することができる。この処置によって効果的に、ディーゼル煤が燃焼するときに放出される燃焼エンタルピーによるディーゼル微粒子フィルタ２２の過熱と損傷を回避することができる。
【００２８】
次いでフラップ２４と２７を適当に調節することによって供給導管２３から供給された排ガス流をほぼ完全にディーゼル微粒子フィルタ２２を介して導出しかつディーゼル微粒子フィルタ２１に関して閉じた循環空気回路を生ぜしめることができる。フラップ２４と２７の調節はディーゼル微粒子フィルタ２２の再生方法の終了直後に行なうことができる。同様にディーゼル微粒子フィルタ２２の再生後にまず、両方のディーゼル微粒子フィルタを排ガスで負荷し、ディーゼル微粒子フィルタ２１の相応する再生をいくらか時間をおいてはじめて開始させることもできる。もちろん、ディーゼル微粒子フィルタ２１のためにディーゼル微粒子フィルタ２２同様、ラムダゾンデ及び／又は温度測定装置を設けることもできるが、これらは図面を見やすくするために図３には詳細には示していない。
【００２９】
以下、本発明によって得られた利点をもう一度纏めておく：
ディーゼル微粒子フィルタの再生は少なくとも部分的に閉じた循環空気回路において、排ガス流の程度並びに排ガス流の圧力レベル並びに残留酸素含有量に無関係に行なわれる。使用されたファンはディーゼル微粒子フィルタの対抗圧もしくは圧力降下を克服するだけでよい。さらにディーゼル微粒子フィルタのための加熱時間は著しく短縮され、これによりエネルギが節減される。空気循環回路における質量が小さくかつ新鮮空気の添加が制限されることによって、電気的な加熱出力が僅かであるにも拘わらずディーゼル微粒子フィルタにて高い温度が達成される。これによりディーゼル微粒子フィルタはディーゼル燃料の添加なしでも効果的に再生されるようになる。
【００３０】
循環空気流への新鮮空気もしくは酸素のコントロールされた添加は、ファン回転数によって調節可能である循環空気流の大きさ並びに加熱出力と相俟って、煤を燃焼させる間のディーゼル微粒子フィルタの温度調整のための別の調節要素を成す。これによりディーゼル微粒子フィルタにおける場所的及び時間的な温度ピークが回避され、ディーゼル微粒子フィルタの寿命期待値がはっきりと増大する。
【図面の簡単な説明】
【図１】
公知技術によるディーゼル微粒子フィルタを電気的に再生する方法を説明するためのブロック図。
【図２】
２つのディーゼル微粒子フィルタを再生する本発明による装置の有利な１実施例を示したブロック図。
【図３】
本発明による再生方法の有利な１実施例の第１期を示すためにその際に発生する排ガス流もしくはガス流を示した図２に相当するブロック図。
【図４】
本発明の再生方法の有利な実施例の第２期を示すためにその際に発生する排ガス流もしくはガス流を示した図２に相当するブロック図。
【符号の説明】
２１，２２  ディーゼル微粒子フィルタ、  ２３  導管、  ２４  フラップ、  ２５  ファン、  ２６  排出導管、  ２７  フラップ、  ２８  フラップ、  ３０  導管、  ３２  導管、  ４０，４１  ラムダゾンデ、  ４２  温度測定装置
【図１】
2005511944.tif 000003
【図２】
2005511944.tif 000004
【図３】
2005511944.tif 000005
【図４】
2005511944.tif 000006
【国際調査報告】
2005511944.tif 000007
2005511944.tif 000008
2005511944.tif 000009
2005511944.tif 000010